(57)【要約】  ネットワーク装置は、所定のユーザ端末が在圏しているセル又は基地局に関する情報を基地局から受信する受信部と、前記情報を記憶する記憶部と、前記情報に基づいて、ページングメッセージを送信する対象である基地局を決定する制御部と、を備える。
2016140275.tif 000002
【特許請求の範囲】
【請求項１】
所定のユーザ端末が在圏しているセル又は基地局に関する情報を基地局から受信する受信部と、
前記情報を記憶する記憶部と、
前記情報に基づいて、ページングメッセージを送信する対象である基地局を決定する制御部と、を備えることを特徴とするネットワーク装置。
【請求項２】
ネットワーク装置が、所定のユーザ端末の識別子と、当該所定のユーザ端末が在圏するセルの識別子及び／又は当該セルを管理する基地局の識別子とを対応付けて記憶し、
前記ネットワーク装置が、前記所定のユーザ端末宛てのページングメッセージを基地局に対して送信する場合、前記所定のユーザ端末の識別子に対応付けられた前記セルの識別子又は前記基地局の識別子に対応する基地局へページングメッセージを送信する移動通信方法。
【請求項３】
前記所定のユーザ端末は、拡張ＤＲＸを設定しているユーザ端末である請求項２に記載の移動通信方法。
【請求項４】
前記所定のユーザ端末が、前記基地局から送信されるＲＲＣ接続解放メッセージに含まれる拡張ＤＲＸの設定情報に基づいて、前記拡張ＤＲＸを設定する請求項３に記載の移動通信方法。
【請求項５】
前記所定のユーザ端末が、セル再選択を行った場合に、当該セル再選択によって選択したセル及び／又は当該セルを管理する基地局の識別子を、前記ネットワーク装置へ送信する請求項２から４のいずれか一項に記載の移動通信方法。
【請求項６】
前記基地局が、自基地局が管理するセルに在圏する前記所定のユーザ端末の識別子を、前記ネットワーク装置へ送信する請求項２から４のいずれか一項に記載の移動通信方法。
【請求項７】
前記所定のユーザ端末が、自ユーザ端末の識別子を、前記基地局へ送信する請求項６に記載の移動通信方法。
【請求項８】
前記所定のユーザ端末が、セル再選択を行った場合に、当該セル再選択によって選択したセルを管理する基地局へ、自ユーザ端末の識別子を送信する請求項７に記載の移動通信方法。
【請求項９】
基地局が、自基地局が管理するセルに在圏する所定のユーザ端末の識別子を記憶し、
前記基地局が、ネットワーク装置からページングメッセージを受信した場合、当該ページングメッセージに含まれるユーザ端末の識別子が、前記記憶している前記所定のユーザ端末の識別子と一致する場合、前記ページングメッセージを送信する移動通信方法。
【請求項１０】
前記所定のユーザ端末は、拡張ＤＲＸを設定しているユーザ端末である請求項９に記載の移動通信方法。
【請求項１１】
前記基地局が、前記ネットワーク装置からページングメッセージを受信した場合、当該ページングメッセージに含まれるユーザ端末の識別子に基づいて、当該ユーザ端末が、自基地局が管理するセルに在圏しないと判断した場合、当該ページングメッセージの送信を拒否する請求項９又は１０に記載の移動通信方法。
【請求項１２】
前記基地局は、前記ネットワーク装置からページングメッセージを受信した場合、当該ページングメッセージに含まれるユーザ端末の識別子が、前記記憶している前記所定のユーザ端末の識別子と一致しない場合、当該ユーザ端末が、自基地局が管理するセルに在圏しないと判断する請求項１１に記載の移動通信方法。
【請求項１３】
前記基地局が、隣接基地局から、当該隣接基地局が管理するセルに在圏する所定のユーザ端末の識別子を受信し、
前記基地局は、当該隣接基地局から受信した所定のユーザ端末の識別子と、前記ページングメッセージに含まれるユーザ端末の識別子とが互いに一致する場合、当該ユーザ端末が、自基地局が管理するセルに在圏しないと判断する請求項１１に記載の移動通信方法。
【請求項１４】
ユーザ端末が、セル再選択を行った場合に、当該セル再選択によって選択したセルを管理する前記隣接基地局へ自ユーザ端末の識別子を送信する請求項１３に記載の移動通信方法。
【請求項１５】
所定のユ一ザ端末の識別子と、当該所定のユーザ端末が在圏するセル及び／又は当該セルを管理する基地局の識別子とを対応付けて記憶し、
前記所定のユーザ端末宛てのページングメッセージを基地局に対して送信する場合、前記所定のユーザ端末の識別子に対応付けられた前記セルの識別子又は前記基地局の識別子に対応する基地局へページングメッセージを送信するネットワーク装置。
【請求項１６】
ネットワーク装置からページングメッセージを受信した場合、当該ページングメツセ一ジに含まれるユ一ザ端末の識別子に基づいて、当該ユーザ端末が、自基地局が管理するセルに在圏しないと判断した場合、当該ページングメツセ一ジの送信を拒否する基地局。
【請求項１７】
前記所定のユーザ端末は、停止中のユーザ端末である請求項２に記載の移動通信方法。
【発明の詳細な説明】
【技術分野】
【０００１】
本発明は、移動通信システムにおいて用いられる移動通信方法、ネットワーク装置及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、無線端末の消費電力を削減するための間欠受信技術として、非連続受信（ＤＲＸ）が規定されている。ユーザ端末は、アイドル状態（例えば、通信中ではない状態）において、上記ＤＲＸを使用して、ＭＭＥから送信されるページングメッセージ（着信を知らせるメッセージ）を受信する。【０００３】
ここで、ＭＭＥは、各ユーザ端末の位置を、１又は複数の基地局（ｅＮＢ）が管理するセルを含むトラッキングエリア（ＴＡ）単位で管理する。【０００４】
そのため、ＭＭＥは、あるユーザ端末に対するページングメッセージを送信する際に、当該ユーザ端末の位置するトラッキングエリア（ＴＡ）内の全ての基地局に対してページングメッセージを送信し、当該ページングメッセージを受信した全ての基地局がページングメッセージを送信する。【０００５】
ところで、近年、移動通信システムにおいて人が介在することなく無線端末が通信を行うマシンタイプコミュニケーション（ＭＴＣ）が注目されている。このような背景から、既存のＤＲＸサイクルよりも長い拡張ＤＲＸ（ｅｘｔｅｎｄｅｄ  ＤＲＸ、ｅＤＲＸ）サイクルを新たに導入し、更なる消費電力の削減を図ることが検討されている（例えば、非特許文献１参照）。拡張ＤＲＸサイクルを使用するＤＲＸは拡張ＤＲＸと称される。
【先行技術文献】
【非特許文献】
【０００６】
【非特許文献１】３ＧＰＰ寄書「ＲＰ−１４１９９４」
【発明の概要】
【０００７】
第１の特徴に係る移動通信方法は、ネットワーク装置が、所定のユーザ端末の識別子と、当該所定のユーザ端末が在圏するセル及び／又は当該セルを管理する基地局の識別子とを対応付けて記憶し、前記ネットワーク装置が、前記所定のユーザ端末宛てのページングメッセージを基地局に対して送信する場合、前記所定のユーザ端末の識別子に対応付けられた前記セルの識別子又は前記基地局の識別子に対応する基地局へページングメッセージを送信する。
【０００８】
第２の特徴に係る移動通信方法は、基地局が、自基地局が管理するセルに在圏する所定のユーザ端末の識別子を記憶し、前記基地局が、ネットワーク装置からページングメッセージを受信した場合、当該ページングメッセージに含まれるユーザ端末の識別子が、前記記憶している前記所定のユーザ端末の識別子と一致する場合、前記ページングメッセージを送信する。
【０００９】
第３の特徴に係るネットワーク装置は、所定のユーザ端末の識別子と、当該所定のユ一ザ応付けて記憶し、前記所定のユーザ端末宛てのページングメッセージを基地局に対して送信する場合、前記所定のユーザ端末の識別子に対応付けられた前記セルの識別子又は前記基地局の識別子に対応する基地局へページングメッセージを送信する。
【００１０】
第４の特徴に係る基地局は、ネットワーク装置からページングメッセージを受信した場合、当該ページングメッセージに含まれるユーザ端末の識別子に基づいて、当該ユーザ端末が、自基地局が管理するセルに在圏しないと判断した場合、当該ページングメッセージの送信を拒否する。
【００１１】
第５の特徴に係るネットワーク装置は、所定のユーザ端末が在圏しているセル又は基地局に関する情報を基地局から受信する受信部と、前記情報を記憶する記憶部と、前記情報に基づいて、ページングメッセージを送信する対象である基地局を決定する制御部と、を備える。
【図面の簡単な説明】
【００１２】
【図１】本実施形態に係るＬＴＥシステムの構成図である。
【図２】本実施形態に係るＵＥのブロック図である。
【図３】本実施形態に係るｅＮＢのブロック図である。
【図４】本実施形態に係るＭＭＥのブロック図である。
【図５】本実施形態に係るブ。ロトコルスタック図である。
【図６】本実施形態に係る無線フレームの構成図である。
【図７】本実施形態に係る動作を説明するための図である。
【図８】本実施形態の第１実施形態に係る動作を説明するためのシーケンスを示す図である。
【図９】本実施形態の第１実施形態の追加動作例１に係る動作シーケンスを示す図である。
【図１０】本実施形態の第１実施形態の追加動作例２に係る動作シーケンスを示す図である。
【図１１】本実施形態の第１実施形態の追加動作例３に係る動作シーケンスを示す図である。
【図１２】本実施形態の第２実施形態に係る動作シーケンスを示す図である。
【図１３】本実施形態の第２実施形態の追加動作例に係る動作シーケンスを示す図である。
【発明を実施するための形態】
【００１３】
［実施形態の概要］
背景技術における記載から、今後、アイドル状態においては拡張ＤＲＸが設定されるようなマシンタイプコミュニケーション（ＭＴＣ）に対応する端末（例えば、車載通信モジュール等のＭ２Ｍ端末）が増加すると、ページングメッセージの送信及び当該送信に用いられるリソースが増大することが懸念される。
【００１４】
そこで、実施形態は、ページングメッセージの送信及び当該送信に用いられるリソースの増大を低減することを可能にする移動通信方法、ネットワーク装置及び基地局を提供する。
【００１５】
実施形態に係る移動通信方法は、ネットワーク装置が、所定のユーザ端末の識別子と、当該所定のユーザ端末が在圏するセル及び／又は当該セルを管理する基地局の識別子とを対応付けて記憶し、前記ネットワーク装置が、前記所定のユーザ端末宛てのページングメッセージを基地局に対して送信する場合、前記所定のユーザ端末の識別子に対応付けられた前記セルの識別子又は前記基地局の識別子に対応する基地局へページングメッセージを送信する。
【００１６】
実施形態において、前記所定のユーザ端末は、拡張ＤＲＸを設定しているユーザ端末である。
【００１７】
実施形態において、前記所定のユーザ端末が、前記基地局から送信されるＲＲＣ接続解放メッセージに含まれる拡張ＤＲＸの設定情報に基づいて、前記拡張ＤＲＸを設定する。
【００１８】
実施形態において、前記所定のユーザ端末が、セル再選択を行った場合に、当該セル再選択によって選択したセル及び／又は当該セルを管理する基地局の識別子を、前記ネットワーク装置へ送信する。
【００１９】
実施形態において、前記基地局が、自基地局が管理するセルに在圏する前記所定のユーザ端末の識別子を、前記ネットワーク装置へ送信する。
【００２０】
実施形態において、前記所定のユーザ端末が、自ユーザ端末の識別子を、前記基地局へ送信する。
【００２１】
実施形態において、前記所定のユーザ端末が、セル再選択を行った場合に、当該セル再選択によって選択したセルを管理する基地局へ、自ユーザ端末の識別子を送信する。
【００２２】
実施形態に係る移動通信方法は、基地局が、自基地局が管理するセルに在圏する所定のユーザ端末の識別子を記憶し、前記基地局が、ネットワーク装置からページングメッセージを受信した場合、当該ページングメッセージに含まれるユーザ端末の識別子が、前記記憶している前記所定のユーザ端末の識別子と一致する場合、前記ページングメッセージを送信する。
【００２３】
実施形態において、前記所定のユーザ端末は、拡張ＤＲＸを設定しているユーザ端末である。
【００２４】
実施形態において、前記基地局が、前記ネットワーク装置からページングメッセージを受信した場合、当該ページングメッセージに含まれるユーザ端末の識別子に基づいて、当該ユーザ端末が、自基地局が管理するセルに在圏しないと判断した場合、当該ページングメッセージの送信を拒否する。
【００２５】
実施形態において、前記基地局は、前記ネットワーク装置からページングメッセージを受信した場合、当該ページングメッセージに含まれるユーザ端末の識別子が、前記記憶している前記所定のユーザ端末の識別子と一致しない場合、当該ユーザ端末が、自基地局が管理するセルに在圏しないと判断する。
【００２６】
実施形態において、前記基地局が、隣接基地局から、当該隣接基地局が管理するセルに在圏する所定のユーザ端末の識別子を受信し、前記基地局は、当該隣接基地局から受信した所定のユーザ端末の識別子と、前記ページングメッセージに含まれるユーザ端末の識別子とが互いに一致する場合、当該ユーザ端末が、自基地局が管理するセルに在圏しないと判断する。
【００２７】
実施形態において、ユーザ端末が、セル再選択を行った場合に、当該セル再選択によって選択したセルを管理する前記隣接基地局へ自ユーザ端末の識別子を送信する。
【００２８】
実施形態に係るネットワーク装置は、所定のユーザ端末の識別子と、当該所定のユーザ端末が在圏するセル及び／又は当該セルを管理する基地局の識別子とを対応付けて記憶し、前記所定のユーザ端末宛てのページングメッセージを基地局に対して送信する場合、前記所定のユーザ端末の識別子に対応付けられた前記セルの識別子又は前記基地局の識別子に対応する基地局へページングメッセージを送信する。
【００２９】
実施形態に係る基地局は、ネットワーク装置からページングメッセージを受信した場合、当該ページングメツセ一ジに含まれるユーザ端末が、自基地局が管理するセルに在圏しないと判断した場合、当該ページングメッセージの送信を拒否する。
【００３０】
実施形態において、前記所定のユーザ端末は、停止中のユーザ端末である。
【００３１】
［実施形態］
以下において、本発明をＬＴＥシステムに適用する場合の実施形態を説明する。
【００３２】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０及びＥＰＣ（Ｅｖｏｌｖｅｄ  Ｐａｃｋｅｔ  Ｃｏｒｅ）２０を備える。
【００３３】
ＵＥ１００は、ユーザ端末に相当する。ＵＥ１００は、移動型の通信装置であり、接続先のセル（サービングセル）との無線通信を行う。ＵＥ１００の構成については後述する。
【００３４】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３５】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モピリティ制御・スケジューリングのための測定制御機能などを有する。「セル」は、無線通信エリアの最小単位を示す用語として使用される他に、ＵＥ１００との無線通信を行う機能を示す用語としても使用される。
【００３６】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（ＭｏｂｉｌｉｔｙＭａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ（Ｏｐｅｒａｔｉｏｎ  ａｎｄ  Ｍａｉｎｔｅｎａｎｃｅ）４００とを含む。ＭＭＥ（ネットワーク装置）は、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３７】
ＯＡＭ４００は、オペレータによって管理されるサーバ装置であり、Ｅ−ＵＴＲＡＮ１０の保守及び監視を行う。
【００３８】
図２は、ＵＥ１００のブロック図である。図２に示すように、ＵＥ１００は、アンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３９】
アンテナ１０１及び無線送受信機１１０は、無線信号の送受信に用いられる。無線送受信機１１０は、プロセッサ１６０が出力するベースパンド信号（送信信号）を無線信号に変換してアンテナ１０１から送信する。また、無線送受信機１１０は、アンテナ１０１が受信する無線信号をベースバンド信号（受信信号）に変換してブロセッサ１６０に出力する。
【００４０】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０はユーザからの操作を受け付けて該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４１】
メモリ１５０は、プロセッサ１６０により実行されるプログラム、及びプロセッサ１６０による処理に使用される情報を記憶する。プロセッサ１６０は、ベースパンド信号の変調・復調及び符号化・復号などを行うベースパンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４２】
また、ＵＥ１００は、傾斜センサ、加速度センサ及びジャイロセンサ等の自ＵＥが移動中か又は停止中か否かを判定可能な各種センサを備えていてもよい。
【００４３】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）をプロセッサ２４０’としてもよい。アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００４４】
ネットワークインターフェイス２２０はＸ２インターフェイスを介して隣接ｅＮＢ２００と接続され、Ｓｌインターフェイスを介してＭＭＥ／Ｓ−ＧＷ３００と接続される。ネットワークインターフェイス２２０は、Ｘ２インターフェイス上で行う通信及びＳｌインターフェイス上で行う通信に用いられる。
【００４５】
メモリ２３０は、プロセッサ２４０により実行されるプログラム、及びプロセッサ２４０による処理に使用される情報を記憶する。プロセッサ２４０は、ベースパンド信号の変調・復調及び符号化・復号などを行うベースパンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４６】
また、メモリ２３０は、自ｅＮＢ２００が管理するセルに在圏し、なお且つ拡張ＤＲＸを設定しているＵＥの識別子を、ＵＥ−ＩＤリストとして記憶してもよい。なお、ＵＥ−ＩＤリストには、１又は複数のＵＥの識別子を含んでもよい。
【００４７】
図４は、ＭＭＥ３００のブロック図である。図４に示すように、ＭＭＥ３００は、ネットワークインターフェイス３２０、メモリ３３０、及びプロセッサ３４０を備える。なお、メモリ３３０をプロセッサ３４０と一体化し、このセット（すなわち、チップセット）をプロセッサとしてもよい。
【００４８】
ネットワークインターフェイス３２０は、Ｓ１インターフェイスを介してｅＮＢ２００と接続される。ネットワークインターフェイス３２０は、Ｓ１インターフェイス上で行う通信に用いられる。
【００４９】
メモリ３３０は、プロセッサ３４０により実行されるプログラム、及びプロセッサ３４０による処理に使用される情報を記憶する。プロセッサ３４０は、ベースパンド信号の変調・復調及び符号化・復号などを行うベースバンドプロセッサと、メモリ３３０に記憶されるプログラムを実行して各種の処理を行うＣＰＵと、を含む。プロセッサ３４０は、後述する各種の処理及び各種の通信プロトコルを実行する。
【００５０】
また、メモリ３３０は、拡張ＤＲＸを設定しているＵＥ１００の識別子と、当該ＵＥ１００が在圏するセルの識別子及び／又は当該セルを管理するｅＮＢ２００の識別子とを対応付けたＵＥ／セル（ｅＮＢ）リストを記憶してもよい。
【００５１】
図５は、ＬＴＥシステムにおける無線インターフェイスのプロトコルスタック図である。図５に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  ＤａｔａＣｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏ１）層を含む。
【００５２】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００５３】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００５４】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００５５】
ＰＤＣＰ層は、ヘッダ圧縮・伸張、及び暗号化・復号化を行う。
【００５６】
ＲＲＣ層は、制御信号を取り扱う制御ブレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００５７】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。なお、ＲＲＣ層、ＰＤＣＰ層、ＲＬＣ層、ＭＡＣ層及びＰＨＹ層を合わせて、ＡＳ（Ａｃｃｅｓｓ  Ｓｔｒａｔｕｍ）層という。
【００５８】
図６は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５９】
図６に示すように、無線フレームは、時間方向に並ぶ１０個のサブフレームで構成される。各サブフレ一ムは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００６０】
（実施形態に係る動作）
本実施形態に係る動作について、図７を用いて説明する。
【００６１】
図７に示すように、ＵＥ１００は、ｅＮＢ２００−１が管理するセルに在圏している。
【００６２】
ｅＮＢ２００−１、ｅＮＢ２００−２及びｅＮＢ２００−３のそれぞれは、セルを管理し、各セルは、同一のトラッキングエリア（ＴＡ）に属する。各ｅＮＢ２００は、ＭＭＥ３００とＳ１インターフェイスを介して接続される。
【００６３】
ＭＭＥ３００は、ＵＥ１００の位置登録により、ＵＥ１００が位置するトラッキングエリアを把握している。例えば、その具体的な方法として、ＭＭＥ３００は、ＵＥ１００と当該ＵＥｌ００が位置するトラッキングエリアを対応付けて、メモリ３３０に記憶する。
【００６４】
以下において、ｅＮＢ２００−３は、ｅＮＢ２００−２と同様の動作を実行するため、ｅＮＢ２００−３の説明は、省略する。
【００６５】
（第１実施形態）
第１実施形態に係る動作について、以下に説明する。ＭＭＥ３００は、拡張ＤＲＸを設定しているＵＥ１００と、当該ＵＥ１００が在圏するセル及び／又は当該セルを管理するｅＮＢ２００（２００−１）を把握している。その具体的な方法として、例えば、ＭＭＥ３００は、拡張ＤＲＸを設定しているＵＥ１００の識別子と、当該ＵＥ１００が在圏するセルの識別子及び／又は当該セルを管理するｅＮＢ２００（２００−１）の識別子とを対応付けたＵＥ／セル（ｅＮＢ）リストをメモリ３３０に記憶している。なお、当該リストに含まれるＵＥ１００の識別子と、当該ＵＥ１００が在圏するセルの識別子及び／又は当該セルを管理するｅＮＢ２００の識別子の取得、ＵＥ／セル（ｅＮＢ）リストの作成及び更新（削除等を含む）については、例えば、後述する追加動作例１〜３の少なくともいずれか一つによって実現してもよい。なお、ＵＥ１００の識別子とは、例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）又はＵＥＩＤである。なお、ＵＥＩＤは、ＵＥ  Ｓ１ＡＰ  ＩＤ（ｅＮＢ  ＵＥＳ１  ＡＰ  ＩＤ又はＭＭＥ  ＵＥ  Ｓ１  ＡＰ  ＩＤ）であってもよい。また、セルの識別子とは、例えば、ｃｅｌｌＩＤである。なお、ｃｅｌｌ  ＩＤは、ＥＣＧＩ（Ｅ−ＵＴＲＡＮ  Ｃｅｌｌ  Ｇｌｏｂａｌ  ＩＤ）又はＥＣＩ（Ｅ−ＵＴＲＡＮ  Ｃｅｌｌ  Ｉｄｅｎｔｉｆｉｅｒ）であってもよい。なお、ＥＣＧＩは、ＰＬＭＮ  ＩＤ＋ＥＣＩであり、ＥＣＩは、ｅＮＢ  ＩＤ＋ｃｅｌｌ  ＩＤである。また、ｅＮＢ２００の識別子とは、例えば、ｅＮＢＩＤである。
【００６６】
次に、第１実施形態に係る動作について、図８を用いて説明する。図８は、第１実施形態に係る動作を説明するためのシーケンス図である。
【００６７】
図８に示すように、まず、ＭＭＥ３００は、ステップＳ１０において、ページング手順を開始するか否かを判断する（Ｓ１０）。ここで、ＭＭＥ３００は、ページング手順を開始しない場合（Ｓ１０  ＮＯ）、ページング手順を開始するまで待機する。
【００６８】
次に、ＭＭＥ３００は、ページング手順を開始する場合（Ｓ１０  ＹＥＳ）、当該ページング手順によって送信するページングメッセージが、拡張ＤＲＸを設定しているＵＥ１００に対するページングメッセージ（ＵＥ１００宛てのページングメッセージ）であるかどうかを判定する（Ｓ２０）。具体的には、ＭＭＥ３００は、送信するページングメッセージに含まれるＵＥの識別子が、前述のＵＥ／セル（ｅＮＢ）リスト内のＵＥ１００の識別子と一致するか否かによって、拡張ＤＲＸを設定しているＵＥ１００に対するページングメッセージか否かを判定する。なお、ページングメッセージとは、例えば、３ＧＰＰに規定される、Ｓ１インターフェイスを介して、ＭＭＥ３００からｅＮＢ２００を介してＵＥ１００へ送信されるページングメッセージである。
【００６９】
次に、ＭＭＥ３００は、送信するページングメッセージが、拡張ＤＲＸを設定しているＵＥ１００に対するページングメッセージであると判定した場合（Ｓ２０  ＹＥＳ）、セル単位ページングを実行すると判断する（Ｓ３０）。ここで、セル単位ページングとは、ＭＭＥ３００が、ＵＥ１００の在圏するセルを管理するｅＮＢ２００−１に対してのみページングメッセージを送信する手順である。言い換えれば、セル単位ページングとは、ＭＭＥ３００が、ＵＥ１００の位置するトラッキングエリア内であって、ＵＥ１００の在圏するセルを管理するｅＮＢ２００−１以外のｅＮＢ２００（２００−２及び２００−３）にはページングメッセージを送信しない又は送信を禁止することである。
【００７０】
さらに、ＭＭＥ３００は、Ｓ３０においてセル単位ページングを実行すると判断すると、メモリ３３０に記憶されているＵＥ／セル（ｅＮＢ）リストから、ＵＥ１００の識別子に対応付けられているセルの識別子が、ｅＮＢ２００−１の管理するセルであると判定し、若しくはＵＥ１００の識別子に対応付けられているｅＮＢ２００の識別子がｅＮＢ２００−１の識別子であると判定することで、ページングメッセージを送信する対象をｅＮＢ２００−１に決定する。
【００７１】
一方で、ＭＭＥ３００は、Ｓ２０において、ページング手順によって送信するページングメッセージが、拡張ＤＲＸを設定しているＵＥ１００に対するものではないと判定した場合（Ｓ２０  ＮＯ）、通常のページングを実行すると判断する。具体的には、ＭＭＥ３００は、送信するページングメッセージに含まれるＵＥの識別子が、メモリ３３０に記憶されているＵＥ／セル（ｅＮＢ）リスト内のＵＥ１００の識別子と一致しない場合に、通常のページングを実行すると判断する。ここでいう、通常のページングとは、ＭＭＥ３００が、従来通り、ＵＥの位置するトラッキングエリア内の全てのｅＮＢ２００（２００−１〜３）に対してページングメッセージを送信する手順である。
【００７２】
次に、ＭＭＥ３００は、Ｓ２０において、ページングを送信する対象をｅＮＢ２００−１であると決定した場合には、ＵＥ１００の在圏するセルを管理するｅＮＢ２００−１に対してのみページングメッセージを送信し（Ｓ４０）、ＵＥ１００の位置するトラッキングエリア内の他のｅＮＢ（２００−２、２００−３）へページングメッセージを送信しない。
【００７３】
次に、Ｓ４０においてＭＭＥ３００から送信されたページングメッセージを受信したｅＮＢ２００−１は、ページングメッセージを送信する（Ｓ５０）。なお、Ｓ５０におけるｅＮＢ２００−１によるページングメッセージの送信は、従来からｅＮＢ２００によるページングメッセージの送信に用いられている手法を採用する。
【００７４】
なお、ここで、ｅＮＢ２００−１は、自ｅＮＢ２００−１の管理するセルに在圏している、拡張ＤＲＸを設定しているＵＥ１００の識別子を、当該セルの識別子と対応付けてメモリ２３０に記憶していてもよい。その場合、ｅＮＢ２００−１は、ＭＭＥ３００から送信されるページングメッセージにおいて、宛先のセルが特定されていない場合であっても、メモリ２３０内において、ＵＥ１００に対応付けられているセルの識別子を特定して、当該セルのみへページングメッセージを送信しでもよい。
【００７５】
この第１実施形態によって、拡張ＤＲＸを設定しているＵＥ１００の位置するトラッキングエリア内であって、実際にＵＥ１００が在圏しないセルを管理するｅＮＢ２００−２及び２００−３は、ＵＥ１００に対するページングメッセージを送信しなくなることで、リソースの節約及びｅＮＢの処理負荷軽減を実現する。また、ＭＭＥ３００も、ｅＮＢ２００−２及び２００−３に対してページングメッセージを送信しなくなることで、同様にリソースの節約及びＭＭＥの処理負荷軽減を実現する。
【００７６】
次に、第１実施形態の追加動作例１〜３を説明する。以下の追加動作例１〜３は、前述した通り、第１実施形態における、ＭＭＥ３００のメモリに記憶しているＵＥ／セル（ｅＮＢ）リストの取得及び更新（削除等を含む）を実現する動作である。
【００７７】
（追加動作例１）
第１実施形態の追加動作例１について、図９を用いて説明する。図９は、第１実施形態の追加動作例１に係る動作シーケンスを示す図である。
【００７８】
まず、図７に示すようにＵＥ１００がｅＮＢ２００−１の管理するセルに在圏する場合において、ｅＮＢ２００−１は、ＵＥ１００とのＲＲＣ接続を解放する際に、拡張ＤＲＸ設定情報を含むＲＲＣ接続解放メッセージ（ＲＲＣ  Ｃｏｎｎｅｃｔｉｏｎ  Ｒｅｌｅａｓｅ）をＵＥ１００へ送信する（Ｓ１１０）。ＵＥ１００は、ｅＮＢ２００−１から送信されたＲＲＣ  Ｃｏｎｎｅｃｔｉｏｎ  ＲｅｌｅａｓｅをＡＳ層において受信すると、ＲＲＣコネクティッド状態からＲＲＣアイドル状態へ遷移する。また、ＵＥ１００は、ＲＲＣアイドル状態に遷移すると共に、受信したＲＲＣ  Ｃｏｎｎｅｃｔｉｏｎ  Ｒｅｌｅａｓｅに含まれる拡張ＤＲＸ設定情報に基づいて、拡張ＤＲＸを設定する（Ｓ１２０）。拡張ＤＲＸ設定情報には、例えば、ＵＥ１００がページングメッセージを待ち受ける間隔（周期）に関する情報が含まれている。拡張ＤＲＸの設定を行ったＵＥ１００は、当該間隔（周期）で無線送受信機１１０を起動し、ｅＮＢ２００−１から送信されるページングメッセージを監視する。
【００７９】
次に、ＵＥ１００は、Ｓ１２０にて拡張ＤＲＸの設定を行ったこと（又は拡張ＤＲＸ設定情報が含まれるＲＲＣ  Ｃｏｎｎｅｃｔｉｏｎ  Ｒｅｌｅａｓｅを受信したこと）を契機に、ＡＳ層において、セル単位ページング（Ｐｅｒ−ｃｅｌｌ  Ｐａｇｉｎｇ）を適用する（Ｓ１３０）。
【００８０】
次に、ＵＥ１００は、ＡＳ層において、セル単位ページングを適用した旨（Ｐｅｒ−ｃｅｌｌ  Ｐａｇｉｎｇ  ａｐｐｌｉｅｄ）をＮＡＳ層（上位層）へ通知する（Ｓ１４０）。ここで、ＵＥ１００は、ＡＳ層からＮＡＳ層へ通知する際には、Ｒｅｌｅａｓｅ  Ｃａｕｓｅとしてセル単位ページングを適用する旨を通知してもよい。なお、ＵＥ１００は、Ｓ１３０におけるセル単位ページングを適用しなくてもよく、その場合、Ｓ１４０におけるセル単位ページングを適用する旨のＮＡＳ層への通知に代えて、拡張ＤＲＸ設定を行った旨若しくはセル単位ＴＡＵ（Ｔｒａｃｋｉｎｇ  Ａｒｅａ  Ｕｐｄａｔｅ）を適用すべき旨をＮＡＳ層へ通知してもよい。
【００８１】
次に、ＵＥ１００は、Ｓ１４０におけるＡＳ層からのセル単位ページングを適用する旨の通知（又は拡張ＤＲＸ設定を行った旨の通知若しくはセル単位ＴＡＵを適用すべき旨の通知）を受けて、ＮＡＳ層において、セル単位ＴＡＵ手順を適用する（Ｓ１５０）。セル単位ＴＡＵ手順とは、通常のＴＡＵ手順とは異なり、セル再選択等により新たなセルを選択したことを契機に実行するＴＡＵ手順であって、再選択した新たなセルの識別子及び／又は当該セルを管理するｅＮＢ２００の識別子を、ＴＡＵ（又はＴＡＵ  Ｒｅｑｕｅｓｔ）に含めてＭＭＥ３００へ送信することを含む。なお、ＵＥ１００は、セル単位ＴＡＵを適用したとしても、通常通りのＴＡ単位のＴＡＵも適用している状態であってもよい。
【００８２】
次に、ＵＥ１００が、現在のセル（ｅＮＢ２００−１が管理するセル）のエリアから他のセル（ｅＮＢ２００−２が管理するセル）のエリアへ移動した場合、ＡＳ層において、セル再選択を実行することによって、新たなセル（ｅＮＢ２００−２が管理するセル）を再選択する（Ｓ１６０）。
【００８３】
次に、ＵＥ１００は、セル再選択を実行した旨（若しくは新たなセルを選択した旨）の通知をＡＳ層（下位層）からＮＡＳ層（上位層）へ通知する（Ｓ１７０）。
【００８４】
次に、ＵＥ１００は、Ｓｌ７０においてＡＳ層からの通知を受けると、ＮＡＳ層において、セル単位ＴＡＵ手順を実行する（Ｓ１８０）。具体的には、ＵＥ１００は、ＮＡＳ層において、セル単位ＴＡＵをＭＭＥ３００へ送信する。このセル単位ＴＡＵには、新たに選択したセルの識別子及び／又は当該セルを管理するｅＮＢ２００−２の識別子が含まれる。さらに、このセル単位ＴＡＵには、自ＵＥ１００の識別子が含まれていてもよい。なお、セル単位ＴＡＵは、従来のＴＡＵ（又はＴＡＵ  Ｒｅｑｕｅｓｔ）で、あってもよいし、他のメッセージ（例えば、Ｐｅｒ  Ｃｅｌｌ  ＴＡＵ又はＰｅｒ  Ｃｅｌｌ  ＴＡＵ  Ｒｅｑｕｅｓｔ）であってもよい。
【００８５】
次に、ＭＭＥ３００は、Ｓ１８０においてＵＥ１００から送信されたセル単位ＴＡＵを受信すると、当該セル単位ＴＡＵに含まれるセルの識別子及び／又はｅＮＢ２００−２の識別子を、ＵＥ１００の識別子に対応付けて、メモリ３３０内のＵＥ／セル（ｅＮＢ）リストに新たに記憶する（Ｓ１９０）。ここで、ＭＭＥ３００は、メモリ３３０内にＵＥ／セル（ｅＮＢ）リストが記憶されていない場合には、新たにＵＥ／セル（ｅＮＢ）リストを作成して記憶する。
【００８６】
従って、ＭＭＥ３００は、拡張ＤＲＸが設定されたＵＥ１００が、同一のトラッキングエリア内における異なるセルへ移動（再選択）した場合であっても、ＵＥ１００がＴＡＵ（セル単位ＴＡＵ）を実行するため、ＵＥ１００がどのセル（又はｅＮＢ２００−２）に移動（再選択）したのかを把握できる。これによって、ＭＭＥ３００は、ＵＥ１００の移動後、ＵＥ１００に対するページングメッセージを送信する際に、ＵＥ１００が現在在圏するセルを管理するｅＮＢ２００−２に対してのみページングメッセージを送信することができる。
【００８７】
なお、Ｓ１１０において、ｅＮＢ２００−１が、拡張ＤＲＸ設定情報を含むＲＲＣ  Ｃｏｎｎｅｃｔｉｏｎ  ＲｅｌｅａｓｅをＵＥ１００へ送信する場合において、ＭＭＥ３００へ拡張ＤＲＸ設定情報を送信してもよい。この拡張ＤＲＸ設定情報は、既存のＳ１  ＵＥ  ＣＯＮＴＥＸＴ  ＲＥＬＥＡＳＥ  ＲＥＱＵＥＳＴ若しくはＵＥ  ＣＯＮＴＥＸＴ  ＲＥＬＥＡＳＥ  ＣＯＭＭＡＮＤに含めてもよい。また、この拡張ＤＲＸ設定情報は、拡張ＤＲＸにおけるページング期間を含めてもよい。ここで、ページング期間とは、例えば、ＵＥ１００の無線送受信機１１０が起動する間隔を意味する。ページング期間は、例えば、１〜３６００分の間で設定される。
【００８８】
また、ＭＭＥ３００は、拡張ＤＲＸ設定情報を含む既存のＳ１  ＵＥ  ＣＯＮＴＥＸＴ  ＲＥＬＥＡＳＥ  ＲＥＱＵＥＳＴ若しくはＵＥ  ＣＯＮＴＥＸＴ  ＲＥＬＥＡＳＥ  ＣＯＭＭＡＮＤを受信した場合、以下の動作を実行してもよい。
【００８９】
（１）ＭＭＥ３００は、ページング期間をページングメッセージの保持期間に設定する。なお、ＭＭＥ３００は、当該保持期間を、ＵＥ１００毎に、Ｓ−ＧＷ３００に通知してもよい。また、Ｓ−ＧＷ３００は、当該保持期間を過ぎても転送できないＵＥ１００の情報（拡張ＤＲＸ設定情報）をメモリ（バッファ）から削除してもよい。なお、当該ページングメッセージの保持期間を満了したＭＭＥ３００は、ページングメッセージを破棄しでもよい。また、ＭＭＥ３００は、ページングメッセージの破棄が発生した場合、ＵＥ１００毎にＳ−ＧＷ３１２００へ通知してもよい。Ｓ−ＧＷ３００は、当該通知を受信した場合、当該ＵＥの情報（拡張ＤＲＸ設定情報）をメモリ（バッファ）から削除してもよい。
【００９０】
（２）Ｍｏｂｉｌｅ  Ｒｅａｃｈａｂｌｅ  Ｔｉｍｅｒ（定期的にＴＡＵを行わせて通信可否の状況を把握するためのタイマー）を当該ページング期間と同一又は当該ページング期間以上の値に設定する。
【００９１】
（追加動作例２）
次に、第１実施形態に係る追加動作例２について、図１０を用いて説明する。図１０は、第１実施形態の追加動作例２に係る動作シーケンスを示す図である。
【００９２】
まず、図７に示すようにＵＥ１００がｅＮＢ２００−１の管理するセル内に位置する場合において、ｅＮＢ２００−１は、ＲＲＣコネクティッド状態のＵＥ１００とのＲＲＣ接続を解放するためにＲＲＣ接続解放メッセージ（ＲＲＣ  Ｃｏｎｎｅｃｔｉｏｎ  Ｒｅｌｅａｓｅ）をＵＥ１００へ送信する前に、ＵＥ１００の識別子を要求するメッセージ（例えば、ＵＥ−ＩＤ  Ｉｎｑｕｉｒｙ）をＵＥ１００へ送信する（Ｓ２１０）。
【００９３】
次に、ｅＮＢ２００  １からＵＥ１００の識別子を要求するメッセージを受信したＵＥ１００は、自ＵＥ１００の識別子をｅＮＢ２００−１へ送信する（Ｓ２２０）。なお、ＵＥ１００は、自ＵＥ１００の識別子をｅＮＢ２００−１へ送信すると共に、自ＵＥ１００が在圏するセルの識別子をｅＮＢ２００へ送信しでもよい。
【００９４】
ここで、ｅＮＢ２００−１は、ＵＥ１００から受信したＵＥ１００の識別子を、拡張ＤＲＸを設定している（拡張ＤＲＸを設定する予定の）ＵＥとして、メモリ２３０内のＵＥ−ＩＤリストへ追加して記憶する（Ｓ２３０）。なお、ｅＮＢ２００は、ＵＥ１００から、ＵＥ１００の識別子と併せてセルの識別子を受信した場合には、ＵＥ１００の識別子と対応付けてセルの識別子を、ＵＥ−ＩＤリストに追加して記憶してもよい。また、ｅＮＢ２００−１は、メモリ２３０にまだＵＥ−ＩＤリストが記憶（作成）されていない場合には、新たにＵＥ−ＩＤリストを作成して、当該ＵＥ−ＩＤリストへ、ＵＥ１００から受信したＵＥ１００の識別子を登録して記憶してもよい。また、ｅＮＢ２００−１は、ＵＥ１００から受信したＵＥ１００の識別子とＵＥ１００に割り当てていたＣ−ＲＮＴＩとを対応付けてメモリ２３０に記憶してもよい。
【００９５】
次に、ｅＮＢ２００−１は、新たにＵＥ１００の識別子（及びＵＥ１００が在圏するセルの識別子）を追加したリストをＭＭＥ３００へ送信する（Ｓ２４０）。このとき、ｅＮＢ２００−１は、リストを送信することに加えて、自ｅＮＢ２００−１の識別子をＭＭＥ３００へ送信してもよい。また、ｅＮＢ２００−１は、リストを送信する代わりに、ＵＥ１００から受信したＵＥ１００の識別子のみを送信してもよい。
【００９６】
次に、ｅＮＢ２００−１は、ＵＥ１００とのＲＲＣ接続を解放すると共にＵＥ１００に拡張ＤＲＸを設定するために、拡張ＤＲＸの設定情報が含まれるＲＲＣ  Ｃｏｎｎｅｃｔｉｏｎ  Ｒｅｌｅａｓｅを、ＵＥ１００へ送信する（Ｓ２５０）。これによって、ＵＥ１００は、ｅＮＢ２００−１とのＲＲＣ接続を解放する（ＲＲＣコネクティッド状態からＲＲＣアイドル状態へ遷移する）と共に、受信した拡張ＤＲＸ設定情報に基づいて拡張ＤＲＸを設定する（Ｓ２５０）。そして、ＵＥ１００は、拡張ＤＲＸ設定に基づいて、ｅＮＢ２００−１から定期的に送信されるページングメッセージを間欠的に監視する。
【００９７】
一方で、Ｓ２４０において、ｅＮＢ２００−１から送信されたリストを受信したＭＭＥ３００は、当該リストに基づいて、メモリ３３０内のリストを更新する。具体的には、ｅＮＢ２００から送信されたリストに含まれるＵＥ１００の識別子を、ｅＮＢ２００−１の識別子及び／又はＵＥ１００が在圏するセルと対応付けて、メモリ３３０に記憶されているリストに追加して記憶する（Ｓ２６０）。又は、ＭＭＥ３００は、メモリ３３０に、拡張ＤＲＸを設定しているＵＥの識別子と、当該ＵＥが在圏するセル及び／又は当該セルを管理するｅＮＢ２００とを対応付けたリストを記憶していない場合、ｅＮＢ２００から送信されたリストに含まれるＵＥの識別子をｅＮＢ２００−１の識別子と対応付けたリストを新たに作成して記憶しでもよい。その場合、ＭＭＥ３００は、メモリ３３０内に上記リストを新たに作成したことを契機として、セル単位ページングが可能な状態に遷移しでもよい。
【００９８】
この状態となったことを契機として、第１実施形態におけるＳ２０において、ＭＭＥ３００は、拡張ＤＲＸを設定しているＵＥ１００に対するページングメッセージであるかどうかを判定することを開始してもよい。
【００９９】
追加動作例２によって、ＭＭＥ３００は、拡張ＤＲＸを設定しているＵＥ１００の識別子と、当該ＵＥ１００が在圏するセル及び／又は当該セルを管理するｅＮＢ２００とを、よりＵＥ１００が拡張ＤＲＸ設定をするタイミングで把握することができる。
【０１００】
なお、本追加動作例２におけるＳ２４０とＳ２５０は、実行する順番が逆でもよい。
【０１０１】
（追加動作例３）
次に、第１実施形態に係る追加動作例３について、図１１を用いて説明する。図１１は、第１実施形態の追加動作例３に係る動作シーケンスを示す図である。追加動作例３は、例えば、先の追加動作例２を実施した後に、ＵＥ１００が、ｅＮＢ２００−１の管理するセルのエリアからｅＮＢ２００−２の管理するセルのエリアへ移動した場合の動作である。
【０１０２】
まず、ステップＳ３１０において、ＵＥ１００は、ＲＲＣアイドル状態において、拡張ＤＲＸを設定しており、ｅＮＢ２００−１から送信されるページングメッセージを間欠的に監視している状態である（Ｓ３１０）。
【０１０３】
次に、ＵＥ１００が、現在のセル（ｅＮＢ２００−１が管理するセル）のエリアから他のセル（ｅＮＢ２００−２が管理するセル）のエリアへ移動した場合、セル再選択を実行することによって新たなセル（ｅＮＢ２００−２が管理するセル）を再選択する（Ｓ３２０）。
【０１０４】
これによって、ＵＥ１００は、ＲＲＣアイドル状態において、ｅＮＢ２００−２が管理するセルから送信されるページングメッセージを間欠的に監視する状態（ｅＮＢ２００−２が管理するセルに待ち受ける状態）となる（Ｓ３３０）。ここで、ＵＥ１００は、ｅＮＢ２００−２が管理するセルに待ち受けたことを契機に、ｅＮＢ２００−１が管理するセルから受信した拡張ＤＲＸ設定情報に基づく拡張ＤＲＸ設定を無効とする又は当該拡張ＤＲＸ設定情報を破棄することとしてもよい。
【０１０５】
次に、ＵＥ１００は、ｅＮＢ２００−２との間で、ＲＲＣ接続手順を実行する（ＲＲＣ  Ｃｏｎｎｅｃｔｉｏｎ  Ｒｅｑｕｅｓｔの送信等を行う）ことによって、ｅＮＢ２００−２とＲＲＣ接続を行う（ＲＲＣアイドル状態からＲＲＣコネクティッド状態へ遷移する）。
【０１０６】
次に、ＵＥ１００は、ＲＲＣ接続を行ったｅＮＢ２００−２へ、自ＵＥ１００の識別子（例えば、ＵＥ−ＩＤ）を、Ｃｅｌｌ  Ｕｐｄａｔｅメッセージに含めて送信する（Ｓ３４０）。なお、ＵＥ１００は、Ｃｅｌｌ  Ｕｐｄａｔｅメッセージを送信する代わりに、その他のメッセージ（例えば、ｅＮＢ  Ｕｐｄａｔｅメッセージ）に、自ＵＥ１００の識別子（例えば、ＵＥ−ＩＤ）を含めて送信してもよい。なお、ＵＥ１００は、ｅＮＢ２００−２に待ち受けたことを契機とする代わりに、Ｃｅｌｌ  Ｕｐｄａｔｅメッセージを送信する（又はｅＮＢ２００−２とのＲＲＣ接続を行った）ことを契機に、ｅＮＢ２００−１が管理するセルから受信した拡張ＤＲＸ設定情報に基づく拡張ＤＲＸ設定を無効又は当該拡張ＤＲＸ設定情報を破棄してもよい。
【０１０７】
次に、ｅＮＢ２００−２は、ＵＥ１００から受信したＵＥ１００の識別子を、ＭＭＥ３００へＣｅｌｌ  Ｕｐｄａｔｅメッセージに含めて送信する（Ｓ３５０）。
【０１０８】
Ｃｅｌｌ  Ｕｐｄａｔｅメッセージを受信したＭＭＥ３００は、メモリ３３０に記憶されているリストを更新する。具体的には、ＭＭＥ３００は、Ｃｅｌｌ  Ｕｐｄａｔｅメッセージに含まれているＵＥ１００の識別子をリスト内から削除する。加えて、ＭＭＥ３００は、ＵＥ１００の識別子に対応付けて、リスト内に記憶されている、当該ＵＥ１００が在圏するセルの識別子及び／又は当該セルを管理するｅＮＢ２００の識別子も削除してもよい。
【０１０９】
これによって、ＭＭＥ３００は、より正確に、拡張ＤＲＸ設定が設定されているＵＥを把握することができ、適切にセル単位ページングを実現することができる。
【０１１０】
（第２実施形態）
第２実施形態に係る動作について、以下に説明する。
【０１１１】
第２実施形態では、第１実施形態と同様に、ＭＭＥ３００は、ＵＥ１００の位置登録により、ＵＥ１００が位置するトラッキングエリアを把握している。例えば、その具体的な方法として、ＭＭＥ３００は、ＵＥ１００と当該ＵＥ１００が位置するトラッキングエリアを対応付けて、メモリ３３０に記憶する。
【０１１２】
一方で、第２実施形態では、第１実施形態と異なり、ＭＭＥ３００は、拡張ＤＲＸが設定されているＵＥ１００がどのセル（又はｅＮＢ２００）に在圏しているかを把握していない。その代わりに、各ｅＮＢ２００（２００−１〜２００−３）が、自ｅＮＢ２００が管理するセルに在圏し、なお且つ拡張ＤＲＸを設定しているＵＥ１００を把握している。具体的には、各ｅＮＢ２００は、自ｅＮＢ２００が管理するセルに在圏し、拡張ＤＲＸが設定されているＵＥ１００の識別子（例えば、ＵＥ−ＩＤ）を、後述の方法等によって取得したものを、ＵＥ−ＩＤリストとしてメモリ２３０に記憶している。これによって、ＭＭＥ３００が従来通りのトラッキングエリア単位でのページング手順を実行し、ページングメッセージを受信した各ｅＮＢ２００が、メモリ２３０に記憶したＵＥ１００の識別子に応じて、セル単位でのページングを実現することができる。その詳細については、図１２を用いて、以下に説明する。図１２は、実施形態に係る動作シーケンスを示す図である。
【０１１３】
図１２におけるＳ４１０〜Ｓ４４０は図１０におけるＳ２１０〜Ｓ２３０及びＳ２５０にそれぞれ相当する。
【０１１４】
次に、ＭＭＥ３００は、ステップＳ４５０において、ページング手順を開始すると判断する。この時のページング手順開始の契機は、従来から用いられているページング手順開始の契機としているイベント発生を用いてもよい。
【０１１５】
次に、ＭＭＥ３００は、従来通り、ＵＥ１００に対するページングメッセージ（ＵＥ１００宛てのページングメッセージ）を、ＵＥ１００が位置するトラッキングエリア内の全てのｅＮＢ２００（２００−１〜２００−３）へ送信する（Ｓ４６０）。
【０１１６】
次に、ＭＭＥ３００からＵＥ１００に対するページングメッセージを受信したｅＮＢ２００−１は、ＵＥ１００がｅＮＢ２００−１の管理するセルに在圏すると判断し（Ｓ４７０−１）、ページングメッセージを送信する。具体的には、ｅＮＢ２００−１は、メモリ２３０に記憶されているＵＥＩＤリストに含まれるＵＥの識別子と、ページングメッセージに含まれるＵＥ１００の識別子とが一致すると判定することにより、ＵＥ１００がｅＮＢ２００−１の管理するセルに在圏していると判断する。
【０１１７】
一方で、ｅＮＢ２００−１と同様に、ＭＭＥ３００からＵＥ１００に対するページングメッセージを受信したｅＮＢ２００−２は、自ｅＮＢ２００−２が管理するセルにＵＥ１００が在圏しないと判断し（Ｓ４７０−２）、ページングメッセージを送信しない又はページングメッセージの送信を禁止（拒否）する（Ｓ４８０−２）。具体的には、ｅＮＢ２００−２は、ＵＥ１００の識別子をＵＥ１００から受信していない等により、自メモリ内のＵＥ−ＩＤリスト（自ｅＮＢ２００が管理するセルに在圏し、なお且つ拡張ＤＲＸが設定されているＵＥの識別子を含むリスト）内にＵＥ１００の識別子が含まれないため、当該ＵＥ−ＩＤリスト内のＵＥの識別子と、ページングメッセージに含まれるＵＥ１００の識別子とが一致しないと判定することにより、自ｅＮＢ２００−２が管理するセルにＵＥ１００が在圏しないと判断する。また、ｅＮＢ２００−３も、ｅＮＢ２００−２と同様に、自ｅＮＢ２００−３が管理するセルにＵＥ１００が在圏しないと判定し（Ｓ４７０−３）、ＭＭＥ３００から受信したページングメッセージを送信しない又はページングメッセージの送信を禁止（拒否）する（Ｓ４８０−３）。
【０１１８】
また、ｅＮＢ２００−１は、Ｓ４２０においてＵＥ１００から受信したＵＥ１００の識別子を、同一のトラッキングエリアに位置する（属する）他のｅＮＢ２００（２００−２及び２００−３）へ送信してもよい。これによって、ｅＮＢ２００−２及び２００−３は、拡張ＤＲＸの設定をしているＵＥ１００が、ｅＮＢ２００−１が管理するセルに在圏していることを認識できるため、自ｅＮＢ２００−２及び２００−３が管理するセルに在圏しないことを把握できる。
【０１１９】
従って、ｅＮＢ２００−２（２００−３）は、Ｓ４７０−２（Ｓ４７０−３）において、自ｅＮＢ２００−２（２００−３）がメモリに記憶しているＵＥ−ＩＤリストを用いることに代えて、ｅＮＢ２００−１から受信したＵＥ１００の識別子と、ページングメッセージに含まれるＵＥ１００の識別子とが一致すると判定することによって、ＵＥ１００が、自ｅＮＢ２００−２（２００−３）が管理するセルに在圏しないと判断してもよい。
【０１２０】
また、ｅＮＢ２００−２（２００−３）は、ｅＮＢ２００−１から受信したＵＥ１００の識別子と一致するＵＥの識別子が、自己のメモリに記憶しているＵＥ−ＩＤリスト内に含まれている場合、当該ＵＥ−ＩＤリスト内から、ＵＥ１００の識別子を削除してもよい。
【０１２１】
これによって、ｅＮＢ２００−２（２００−３）は、自ｅＮＢ２００−２（２００−３）が管理するセルに在圏するＵＥをより正確に把握することができる。
【０１２２】
（追加動作例）
第２実施形態の追加動作例について、図１３を用いて説明する。図１３は、第２実施形態の追加動作例に係る動作シーケンスを示す図である。
【０１２３】
図１３におけるＳ５１０〜５４０は、図１１における第１実施形態の追加動作例３におけるＳ３１０〜３４０に相当する。
【０１２４】
ｅＮＢ２００−２は、Ｓ５４０においてＵＥ１００からＣｅｌｌ  Ｕｐｄａｔｅメッセージを受信すると、Ｃｅｌｌ  ＵｐｄａｔｅメッセージをｅＮＢ２００−１へ送信する（Ｓ５５０）。Ｓ５４０及びＳ５５０におけるＣｅｌｌ  Ｕｐｄａｔｅメッセージには、ｅＮＢ２００−２に新たに在圏したＵＥ１００の識別子が含まれている。なお、Ｓ５４０におけるＣｅｌｌ  Ｕｐｄａｔｅメッセージと、Ｓ５５０におけるＣｅｌ１  Ｕｐｄａｔｅメッセージは同一であっても一部異なっていてもよい。
【０１２５】
次に、ｅＮＢ２００−１は、ｅＮＢ２００−２から受信したＣｅｌｌ  Ｕｐｄａｔｅメッセージに含まれるＵＥ１００の識別子を、自ｅＮＢ２００−１のメモリ２３０に記憶されているＵＥ−ＩＤリストから削除することによって、ＵＥＩＤリストを更新する（Ｓ５６０）。これによって、ｅＮＢ２００は、ＵＥがセル再選択した場合であっても、自ｅＮＢ２００が管理するセルに在圏し、なお且つ拡張ＤＲＸを設定しているＵＥを正確に把握することができ、ページングメッセージの送信の可否をより適切に判断することができる。
【０１２６】
また、ｅＮＢ２００−１は、ｅＮＢ２００−２から受信したＣｅｌｌ  Ｕｐｄａｔｅメッセージに含まれるＵＥ１００の識別子をＵＥＩＤリストの更新に用いることなく別途記憶してもよい。これによって、ｅＮＢ２００−１は、当該別途記憶したＵＥ１００の識別子を、ページングメッセージに含まれるＵＥの識別子に一致するか否かを判定することにより、当該ページングメッセージの送信の可否を判定することに用いてもよい。
【０１２７】
なお、ＵＥ１００は、ＵＥ  Ａｓｓｉｓｔａｎｃｅ  Ｉｎｆｏｒｍａｔｉｏｎに、自ＵＥ１００が移動中又は停止中である旨を含めて、自ＵＥが在圏するセル（及び／又は当該セルを管理するｅＮＢ２００）へ通知してもよい。ここで、ＵＥ１００は、自ＵＥ１００が移動中又は停止中であるか否かを、自ＵＥ１００が内蔵する各種センサによって判定してもよい。
【０１２８】
ここで、ｅＮＢ２００は、ＵＥ１００が移動中又は停止中である旨を含むＵＥ  Ａｓｓｉｓｔａｎｃｅ  ＩｎｆｏｒｍａｔｉｏｎをＵＥ１００から受信した場合、移動中又は停止中であるか否かに応じて、当該ＵＥ１００へ送信するＲＲＣ  Ｃｏｎｎｅｃｔｉｏｎ  Ｒｅｌｅａｓｅに拡張ＤＲＸ設定情報を含ませるか否かを判定する。例えば、ｅＮＢ２００は、ＵＥ１００が停止中である旨を含むＵＥ  Ａｓｓｉｓｔａｎｃｅ  Ｉｎｆｏｒｍａｔｉｏｎを受信した場合には、当該ＵＥ１００が固定ＵＥであると判断し、当該ＵＥ１００へ送信するＲＲＣ  Ｃｏｎｎｅｃｔｉｏｎ  Ｒｅｌｅａｓｅに拡張ＤＲＸ設定情報を含ませると判定してもよい。これによって、ｅＮＢ２００は、ＵＥ１００の移動状態に応じたＵＥのＤＲＸ設定を実現することができる。
【０１２９】
また、ｅＮＢ２００は、ＵＥ１００から送信された、ＵＥ１００が移動中又は停止中である旨を含むＵＥ  Ａｓｓｉｓｔａｎｃｅ  Ｉｎｆｏｒｍａｔｉｏｎに応じて、セル単位ページングを実施（設定）するか否かを判定してもよい。ここでの「セル単位ページングを実施（設定）する」とは、上述したように、ｅＮＢ２００がＭＭＥ３００から受信したページングメッセージを送信するか否かを判定することと同義であってもよい。
【０１３０】
具体的には、ｅＮＢ２００は、自ｅＮＢ２００が管理するセルに在圏するＵＥ１００が移動中であると判定した場合には、セル単位ページングを実施（設定）せず、ＵＥ１００が停止中であると判定した場合には、セル単位ページングＰを実施（設定）するとしてもよい。つまり、ｅＮＢ２００は、自ｅＮＢ２００が管理するセルに在圏するＵＥ１００の移動状態に応じて、セル単位ページングの実施（設定）の可否を判断する。これによって、例えば、ｅＮＢ２００は、自ｅＮＢ２００が管理するセルに停止中のＵＥが在圏しないと判定した場合、セル単位ページングを実施（設定）せずに、通常のページングを実施することで、そもそも、ＵＥ−ＩＤリストによるページングメッセージの送信の可否を判定する手間を省くことができる。なお、「通常のページングの実施」とは、ＭＭＥ３００から送信されたページングメッセージを、ｅＮＢ２００が従来通り送信することである。
【０１３１】
また、ｅＮＢ２００は、ＵＥ１００から送信されたＵＥ  Ａｓｓｉｓｔａｎｃｅ  Ｉｎｆｏｒｍａｔｉｏｎに含まれるＵＥ１００の移動状態に関する情報をＭＭＥ３００へ送信してもよい。ＭＭＥ３００は、当該情報に応じてセル単位ページングを実施するか否かを判定してもよい。具体的には、ＭＭＥ３００は、ＵＥ１００に対するページングメッセージの送信について、セル単位ページング又は通常のページングを実行するかを、ＵＥ１００の移動状態（移動中又は停止中）に応じて判定してもよい。例えば、ＭＭＥ３００は、ＵＥ１００から送信されたＵＥ  Ａｓｓｉｓｔａｎｃｅ  ＩｎｆｏｒｍａｔｉｏｎにＵＥ１００が停止中である旨の情報が含まれている場合には、セル単位ページングを実施せず、通常のページングを実施すると判定してもよい。なお、ここでいうセル単位ページングとは、第１実施形態におけるセル単位ページングである。
【０１３２】
（第２実施形態の変更例）
上述の第２実施形態では、ＭＭＥ３００は、トラッキングエリア単位で、各ｅＮＢ２００に対して、従来と同様のページングメッセージを送信していた。一方で、第２実施形態の変更例では、ＭＭＥ３００は、拡張ＤＲＸを設定しているＵＥ１００に対するページングを各ｅＮＢ２００に対して要求する（拡張ＤＲＸを設定しているＵＥ１００に対するページングメッセージを送信する）場合には、「ＭＴＣ  ＰＡＧＩＮＧ  ＭＥＳＳＡＧＥ」という、従来のページングメッセージとは異なるＭＴＣ  ＵＥ専用のページングメッセージを送信しでもよい。なお、「ＭＴＣ  ＵＥ」とは、例えば、固定ＵＥ（停止中と判定されたＵＥ）及び／又は拡張ＤＲＸが設定されたＵＥである。なお、「ＭＴＣ  ＰＡＧＩＮＧ  ＭＥＳＳＡＧＥ」を受信したｅＮＢ２００は、メモリ２３０内のＵＥ−ＩＤリストに、「ＭＴＣ  ＰＡＧＩＮＧ  ＭＥＳＳＡＧＥ」に含まれるＵＥの識別子が含まれているか否かを判定する。そして、ｅＮＢ２００は、ＵＥ−ＩＤリストに、「ＭＴＣ  ＰＡＧＩＮＧ  ＭＥＳＳＡＧＥ」に含まれるＵＥの識別子が含まれていると判定した場合には、「ＭＴＣ  ＰＡＧＩＮＧ  ＭＥＳＳＡＧＥ」を送信してもよい。また、ｅＮＢ２００は、当該ＵＥの識別子にＣｅｌｌ  ＩＤが対応付けられている場合には、当該Ｃｅｌｌ  ＩＤに対応するセルに「ＭＴＣ  ＰＡＧＩＮＧ  ＭＥＳＳＡＧＥ」を、若しくはページングメッセージを送信させてもよい。
【０１３３】
［その他の実施形態］
上述した実施形態では、拡張ＤＲＸが設定されたＵＥ１００を例に挙げて説明したが、これに限られない。通常のＤＲＸ設定が適用されたＵＥ１００へのページングメッセージである場合も、各ｅＮＢ２００及びＭＭＥ３００は、同様の動作を実行してもよい。
【０１３４】
上述した変更例において、ｅＮＢ２００−１は、ページングメッセージをＵＥ１００が受信したことを検知した場合、ＭＭＥ３００に対して解放メッセージを通知しでもよい。解放メッセージを受信したＭＭＥ３００は、実施形態と同様に、解放メッセージを他のｅＮＢ２００に通知できる。
【０１３５】
上述した実施形態では、セルラ通信システムの一例としてＬＴＥシステムを説明したが、ＬＴＥシステムに限定されるものではなく、ＬＴＥシステム以外のシステムに本発明を適用しでもよい。
【０１３６】
［相互参照］
米国仮出願第６２／１２７４１０号（２０１５年３月３日）の全内容が参照により本願明細書に組み込まれている。
【産業上の利用可能性】
【０１３７】
本発明は、通信分野において有用である。
【図１】
2016140275.tif 000003
【図２】
2016140275.tif 000004
【図３】
2016140275.tif 000005
【図４】
2016140275.tif 000006
【図５】
2016140275.tif 000007
【図６】
2016140275.tif 000008
【図７】
2016140275.tif 000009
【図８】
2016140275.tif 000010
【図９】
2016140275.tif 000011
【図１０】
2016140275.tif 000012
【図１１】
2016140275.tif 000013
【図１２】
2016140275.tif 000014
【図１３】
2016140275.tif 000015
【国際調査報告】
2016140275.tif 000016
2016140275.tif 000017
2016140275.tif 000018
2016140275.tif 000019
2016140275.tif 000020
2016140275.tif 000021
2016140275.tif 000022
2016140275.tif 000023